(57)【要約】【課題】容易にＥＴＣカードの装着ができるとともに、端子部およびＥＴＣカードの摩耗を防止することができる車載通信端末装置を提供すること。【解決手段】車両に搭載され、据置型通信端末装置との間で車両の通過情報についての情報通信を行う車載通信端末装置１において、上ケース３に、載置面３ａに載置されたＥＴＣカード２の縁部を外方から包囲する包囲壁８を設けるとともに、カバー部６に、このカバー部６が閉塞したときに、カバー部６と上ケース３との間にＥＴＣカード２を挟持する弾性シート１０を設けた。【選択図】図１
2009075640.tif 000002
【特許請求の範囲】
【請求項１】
車両に搭載され、据置型通信端末装置との間で車両の通過情報についての情報通信を行う車載通信端末装置において、
ＩＣカードが載置される載置面および前記ＩＣカードと電気的に接続する端子部を有する収納部材と、
前記ＩＣカードを閉塞および開放するよう前記収納部材に対して開閉自在に設けられた閉塞部材と、
前記収納部材に設けられ、前記端子部を介して前記ＩＣカードからの情報を読み出し、および前記ＩＣカードへの情報の書き込みを行う制御手段とを備え、
前記収納部材に、前記載置面に載置された前記ＩＣカードの縁部を外方から包囲する包囲壁を設けるとともに、
前記閉塞部材に、前記閉塞部材が閉塞したときに、該閉塞部材と前記収納部材との間に前記ＩＣカードを挟持する挟持部材を設けたことを特徴とする車載通信端末装置。
【請求項２】
前記収納部材に、前記ＩＣカードの一端部が前記載置面より下方に移動して入り込む凹部を設けたことを特徴とする請求項１に記載の車載通信端末装置。
【発明の詳細な説明】
【技術分野】
【０００１】
本発明は、車載通信端末装置に関し、特に、車両に搭載され、有料道路等の出入口に設置される据置型通信端末装置との間で車両の通過情報についての情報通信を行う車載通信端末装置に関する。
【背景技術】
【０００２】
近時、有料道路の通行料金を収受するシステムとしてＥＴＣ（Ｅｌｅｃｔｒｏｎｉｃ  Ｔｏｌｌ  Ｃｏｌｌｅｃｔｉｏｎ）システムが普及している。ＥＴＣシステムにおいては、車両に搭載した車載通信端末装置（ＥＴＣ車載器）にクレジットカード会社が発行するＥＴＣカードを装着し、有料道路でＥＴＣシステムを利用可能なゲートを通過することにより、車載通信端末装置とゲートに設けられた据置型通信端末装置との間で無線通信を用いて通行料金が自動的に授受されることにより、ゲートで車両が停車することなく通行することができ、交通の円滑化を図ることができるようになっている。
【０００３】
従来、この種の車載通信端末装置にあっては、スライドレールの間にＥＴＣカードを滑り込ませることにより、ＥＴＣカードを装着するようにしたものが知られている（例えば、非特許文献１参照）。
【０００４】
図６は、従来の車載通信端末装置のＥＴＣカード装着前の状態を示す斜視図である。また、図７は、従来の車載通信端末装置のＥＴＣカード装着後の状態を示す斜視図である。
【０００５】
図６、図７に示すように、従来の車載通信端末装置５１は、ＥＴＣカード５２を滑り込ませて装着するためのスライドレール５８ａを備えており、載置面５３上に載置したＥＴＣカード５２をスライドレール５８ａに沿って滑り込ませるとともにストッパ片５８ｂに突き当てることにより、ＥＴＣカード５２のＩＣチップ５２ａが車載通信端末装置５１の接触端子６６ａと電気的に接続されるようになっている。また、ＥＴＣカード５２は、保持片５９により上方向への移動が規制されて脱落が防止されるとともに、ケース部５４にヒンジ５５を介して開閉自在に設けられ、閉塞持にバックル５７によりロックされるカバー５６によりＥＴＣカード５２の収納部およびケース部５４への水の浸入が防止されるようになっている。
【非特許文献１】「日本無線技報  ＮＯ．５２」３８〜４０頁、平成１９年４月１６日、日本無線株式会社発行
【発明の開示】
【発明が解決しようとする課題】
【０００６】
しかしながら、上述のような従来の車載通信端末装置にあっては、ＥＴＣカード５２を装着する際に、初めにＥＴＣカード５２の先端をスライドレール５８ａの間に滑り込ませる必要があるので、装着操作が煩わしく、また、装着に時間がかかってしまい、装着性に劣るという問題があった。また、ＥＴＣカード５２を車載通信端末装置５１に装着する際に、接触端子６６ａがＥＴＣカード５２と一定距離擦れ合うので、接触端子６６ａおよびＥＴＣカード５２の摩耗や破損を招いてしまうという問題があった。
【０００７】
本発明は、上述のような従来の問題を解決するためになされたもので、容易にＥＴＣカードの装着ができるとともに、端子部およびＥＴＣカードの摩耗を防止することができる車載通信端末装置を提供することを目的とする。
【課題を解決するための手段】
【０００８】
本発明に係る車載通信端末装置は、上記目的達成のため、車両に搭載され、据置型通信端末装置との間で車両の通過情報についての情報通信を行う車載通信端末装置において、ＩＣカードが載置される載置面および前記ＩＣカードと電気的に接続する端子部を有する収納部材と、前記ＩＣカードを閉塞および開放するよう前記収納部材に対して開閉自在に設けられた閉塞部材と、前記収納部材に設けられ、前記端子部を介して前記ＩＣカードからの情報を読み出し、および前記ＩＣカードへの情報の書き込みを行う制御手段とを備え、前記収納部材に、前記載置面に載置された前記ＩＣカードの縁部を外方から包囲する包囲壁を設けるとともに、前記閉塞部材に、前記閉塞部材が閉塞したときに、該閉塞部材と前記収納部材との間に前記ＩＣカードを挟持する挟持部材を設けたものから構成されている。
【０００９】
この構成により、収納部材に、載置面に載置されたＩＣカードの縁部を外方から包囲する包囲壁を設けたので、従来のようにＩＣカードの先端をカードレールに挿入する必要がなく、ＩＣカードを容易に装着することができる。また、端子部とＩＣカードとが擦れ合うことがないので、端子部およびＩＣカードの摩耗による接触不良等を防止することができ、高い信頼性を得ることができる。また、閉塞部材に、閉塞部材が閉塞したときに、閉塞部材と収納部材との間にＩＣカードを挟持する挟持部材を設けたので、従来のようにＩＣカードの先端をカードレールに挿入することなく容易にＩＣカードを収納部材の載置面に載置した状態で保持することができる。したがって、容易にＩＣカードの装着ができるとともに、端子部およびＩＣカードの摩耗を防止することができる。
【００１０】
また、本発明に係る車載通信端末装置は、上記目的達成のため、前記収納部材に、前記ＩＣカードの一端部が前記載置面より下方に移動して入り込む凹部を設けたものから構成されている。
【００１１】
この構成により、ＩＣカードの一端部を凹部に対して押し下げることにより、ＩＣカードの他端部を上昇させて把持できるので、ＩＣカードを容易に取り外すことができる。
【発明の効果】
【００１２】
本発明によれば、容易にＥＴＣカードの装着ができるとともに、端子部およびＥＴＣカードの摩耗を防止することができる車載通信端末装置を提供することができる。
【発明を実施するための最良の形態】
【００１３】
以下、本発明の実施の形態について、図面を参照して説明する。
【００１４】
図１は、本発明の一実施の形態に係る車載通信端末装置のカバー部が開放した状態を示す斜視図である。また、図２は、本発明の一実施の形態に係る車載通信端末装置のＥＴＣカードを収納した状態を示す斜視図である。また、図３は、本発明の一実施の形態に係る車載通信端末装置のカバー部が閉塞した状態を示す斜視図である。
【００１５】
まず、構成について説明する。
【００１６】
図１、図２に示すように、車載通信端末装置１は、ＥＴＣレーンの料金所の図示しない据置型通信端末装置に設けられたＥＴＣアンテナとの間で電波により無線通信を行い、車両情報、ＥＴＣカード情報、課金情報等の情報のやり取りを行うものである。また、車載通信端末装置１は、図示しない取り付けステー等によって車両に装着されるようになっている。具体的には、車載通信端末装置１は、図示しない取り付けステー等によって二輪車両のハンドル部等に取り付けられるものであり、四輪車の車室内に設置されるものと異なり、雨天走行または洗車の際の水に曝されて使用される。
【００１７】
この車載通信端末装置１は、ＩＣカードであるＥＴＣカード２が載置される載置面３ａを有する上ケース３と、下ケース４と、上ケース３にヒンジ５を介して連結され、上ケース３に対して開閉自在に設けられたカバー部６と、カバー部６を上ケース３に対して閉じた状態で保持するバックル７とを備えている。上ケース３、下ケース４、カバー部６およびバックル７は樹脂材料から成形されている。また、ＥＴＣカード２には、車載通信端末装置１と電気的に接続されるＩＣチップ２ａが設けられており、このＩＣチップ２ａはＣＰＵ、メモリおよび入出力インターフェースを備え、車両情報、ＥＴＣカード情報、課金情報等が記憶されるようになっている。
【００１８】
ケース部２４は、上ケース３と、下ケース４とから構成されており、上ケース３と下ケース４との間には、回路基板１３（図４参照）が設けられている。
【００１９】
上ケース３は、ＩＣカードであるＥＴＣカード２が載置される載置面３ａと、載置面３ａに載置されたＥＴＣカード２の四方を包囲するよう載置面３ａの周囲に立設された包囲壁８を備えている。上ケース３は、本発明における収納部材を構成する。包囲壁８の上部は、カバー部６が閉塞したときに、カバー部６に設けられた後述するパッキン９と圧接するようになっている。また、包囲壁８は、車載通信端末装置１が傾斜した状態であっても、載置面３ａに載置されたＥＴＣカード２が滑り落ちることのないよう、ＥＴＣカード２の縁部を外方から包囲して、ＥＴＣカード２を載置面３ａ上に保持するようになっている。載置面３ａには、ＩＣチップ２ａの端子側の面が下向きになるようにＥＴＣカード２が載置される。
【００２０】
包囲壁８のＥＴＣカード２側の側面には、ＥＴＣカード２を載置面３ａ上の適正な位置に位置決めするよう、ＥＴＣカード２の端部に当接するストッパ片８ａが複数設けられている。本実施の形態では、包囲壁８を構成する４つの直線部分がそれぞれ２つのストッパ片８ａを有している。
【００２１】
載置面３ａ上には、回路基板１３の接触端子１６ａが配置されており、ＥＴＣカード２がストッパ片８ａにより載置面３ａ上の適正位置に位置決めされた状態においては、ＩＣチップ２ａと接触端子１６ａとが良好に接触するようになっている。接触端子１６ａは可撓性を有する導電性部材から構成されており、カバー部６が閉じられたときに、接触端子１６ａがＩＣチップ２ａに弾性的に接触するようになっている。
【００２２】
また、載置面３ａの短手方向略中央部には、載置面３ａの長手方向に延在するリブ３ｂが凸設されており、リブ３ｂがＥＴＣカード２の平面部分と接触するようになっている。このため、ＥＴＣカード２表面にエンボス加工により形成された文字が載置面３ａと強く接触して摩耗することが防止される。
【００２３】
また、上ケース３の載置面３ａの長手方向一端部には、凹部３ｃが形成されている。この凹部３ｃは、載置面３ａの長手方向最端部が最も深くなるよう傾斜する斜面形状となっている。換言すると、包囲壁８の内側の載置面３ａおよび凹部３ｃは、硯に類似した形状を有している。なお、包囲壁８の内側に占める載置面３ａと凹部３ｃの面積の比率は、例えば、７：３、もしくは８：２程度となっており、載置面３ａの占める面積が凹部３ｃの占める面積よりも大きいため、ＥＴＣカード２が凹部３ｃによって自然に傾斜することはない。
【００２４】
下ケース４は、回路基板１３を下方から支持するとともに、車載通信端末装置１を二輪車両に固定する基台となるものであり、図示しない取り付けステー等を装着するためのネジ穴等が下面に形成されている。なお、下ケース４は、上ケース３に対してネジにより固定される。
【００２５】
上ケース３の長手方向一端部には、カバー部６を開閉自在に連結するヒンジ５が設けられている。
【００２６】
また、上ケース３の長手方向他端部には、基端部７ａを回動中心として上端部７ｂが揺動するバックル７が設けられている。バックル７の上端部７ｂは凸形状に形成されており、カバー部６を閉じた状態で、上端部７ｂがカバー部６に形成された係合凹部６ｃ（図３参照）に係合することにより、カバー部６が上ケース３に強固に係合されるようになっている。
【００２７】
カバー部６は、載置面３ａに載置されたＥＴＣカード２が離脱したり濡れたりすることのないように保護するものである。カバー部６は、本発明における閉塞部材を構成する。カバー部６の内側、すなわち上ケース３側には、カバー部６を上ケース３に対して閉じたときに、包囲壁８の上部と圧接するパッキン９が、接着、嵌め込み等の手段によって設けられている。パッキン９は、弾性を有する樹脂、ゴムまたはエラストマー等から構成されており、カバー部６の内側に形成されたリブ６ｂにより取り付け位置が規定されるようになっている。パッキン９は、本発明におけるシール部材を構成する。
【００２８】
また、カバー部６の内側には、台座部６ａが形成されており、この台座部６ａには弾性シート１０が、接着、インサート成型または嵌め込み等の手段によって設けられている。弾性シート１０は、カバー部６を閉じた状態において、上ケース３の載置面３ａとの間でＥＴＣカード２を挟持するものであり、ＥＴＣカード２が載置面３ａから浮き上がったり振動することを防止し、ＩＣチップ２ａを接触端子１６ａに圧接させるようになっている。台座部６ａおよび弾性シート１０は、カバー部６を閉じた状態においてＩＣチップ２ａおよび接触端子１６ａの直上となる位置に設けられる。この弾性シート１０は、弾性を有するポリウレタンやシリコーンなどの樹脂、ニトリルゴムやネオプレンゴムなどのゴムまたは熱可塑性のエラストマー等から構成されている。また、弾性シート１０として、市販のゲル状のシート、例えば、シリコーンゲルシートやウレタンゲルシートを用いることができる。弾性シート１０は、１ｍｍ〜５ｍｍの厚みからなり、任意の大きさおよび形状、例えば、縦が１ｃｍ〜５ｃｍ、横が１ｃｍ〜５ｃｍからなる四角形、円形、楕円形、多角形などでもよい。弾性シート１０は、本発明における挟持部材を構成する。
【００２９】
図４は、本発明の一実施の形態に係る車載通信端末装置の回路基板を示すブロック図である。
【００３０】
図４に示すように、回路基板１３は、電源回路１４、制御回路１５、ＩＣチップリードライト回路１６、表示処理回路１７および無線回路１８を備えている。回路基板１３は、本発明における制御手段を構成する。
【００３１】
制御回路１５は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）から構成されており、予め定められたシーケンスに従って車載通信端末装置１の全体制御を行うようになっている。
【００３２】
電源回路１４は、車両のバッテリーから電源ケーブル１９を介して取得した１２Ｖ電源を降圧等して回路基板１３に供給するものである。
【００３３】
ＩＣチップリードライト回路１６は、接触端子１６ａを介してＩＣチップ２ａに記憶された車両情報、ＥＴＣカード情報、課金情報等の読取処理および車両情報、ＥＴＣカード情報、課金情報等の記憶処理を行うようになっている。
【００３４】
表示処理回路１７は、ＬＥＤランプ２２に接続されており、ＬＥＤランプ２２の点灯制御を行うものである。
【００３５】
制御回路１５は、ＩＣチップリードライト回路１６によりＩＣチップ２ａが検出された場合等に、表示処理回路１７に指令信号を出力してＬＥＤランプ２２を点灯させるようになっている。利用者による車載通信端末装置１の動作確認は、ＬＥＤランプ２２の点灯または非点灯を目視することにより行われる。
【００３６】
無線回路１８は、ＥＴＣアンテナとの間で所定周波数帯域の高周波、例えば、５．８ＧＨｚ帯の高周波を使用して無線通信を行うようになっており、アンテナ２３に接続されている。
【００３７】
なお、ＬＥＤランプ２２およびアンテナ２３は、ケース部２４の内部に設けられており、車載通信端末装置１からは電源ケーブル１９のみが外部に接続されている。
【００３８】
図５は、本発明の一実施の形態に係る車載通信端末装置のＥＴＣカードを取り外す状態を示す斜視図である。
【００３９】
図５に示すように、載置面３ａに載置されたＥＴＣカード２を取り出すときは、ＥＴＣカード２の凹部３ｃ側の一端部を押し下げて凹部３ｃに入り込ませてＥＴＣカード２を傾斜させ、ＥＴＣカード２の他端部を包囲壁８よりも上部に上昇させることにより、上昇したＥＴＣカード２の他端部を把持することができる。
【００４０】
次に、動作について説明する。
【００４１】
このような構成を有する車載通信端末装置１にＥＴＣカード２を取り付ける場合には、バックル７を解除位置に移動させてカバー部６を開放し（図１参照）、この状態でＥＴＣカード２を包囲壁８内の載置面３ａに載置する。このとき、ＥＴＣカード２の端部がストッパ片８ａに当接するため、ＥＴＣカード２は、載置面３ａ上の適切な位置に位置決めされる。
【００４２】
ＥＴＣカード２が、載置面３ａ上の適切な位置に載置されると、接触端子１６ａはＩＣチップ２ａと弾性的に接触する。
【００４３】
次いで、カバー部６を閉じてバックル７を係合位置に揺動させることにより、カバー部６を上ケース３に固定する。このとき、弾性シート１０がＥＴＣカード２を載置面３に向かって押圧するので、ＩＣチップ２ａは接触端子１６ａに確実に接触する。さらに、弾性シート１０の押圧力に抗して接触端子１６ａがＥＴＣカード２を弾性シート１０に向かって押圧するので、カバー部６と上ケース３との間にＥＴＣカード２が強固に保持される。
【００４４】
また、車載通信端末装置１からＥＴＣカード２を取り外す場合には、ＥＴＣカード２の凹部３ｃ側の一端部を押し下げて凹部３ｃに入り込ませてＥＴＣカード２を傾斜させ、ＥＴＣカード２の他端部を包囲壁８よりも上部に上昇させることにより、上昇したＥＴＣカード２の他端部を把持する。
【００４５】
以上のように、本実施の形態に係る車載通信端末装置は、上ケース３に、載置面３ａに載置されたＥＴＣカード２の縁部を外方から包囲する包囲壁８を設けるとともに、カバー部６に、このカバー部６が閉塞したときに、カバー部６と上ケース３との間にＥＴＣカード２を挟持する弾性シート１０を設けたので、従来のようにＥＴＣカード２の先端をカードレールに挿入することなく容易にＥＴＣカード２を上ケース３の載置面３ａに載置した状態で保持することができる。したがって、容易にＥＴＣカード２の装着ができるとともに、接触端子１６ａおよびＥＴＣカード２の摩耗を防止することができる。
【００４６】
また、本実施の形態に係る車載通信端末装置は、上ケース３に、ＥＴＣカード２の一端部が載置面３ａより下方に移動して入り込む凹部３ｃを設けたので、ＥＴＣカード２の一端部を凹部３ｃに対して押し下げることにより、ＥＴＣカード２の他端部を上昇させて把持できるので、ＥＴＣカード２を容易に取り外すことができる。
【産業上の利用可能性】
【００４７】
以上説明したように、本発明に係る車載通信端末装置は、容易にＥＴＣカードの装着ができるとともに、端子部およびＥＴＣカードの摩耗を防止することができるという効果を有し、車両に搭載され、有料道路等の出入口に設置される据置型通信端末装置との間で車両の通過情報についての情報通信を行う車載通信端末装置全般に有用である。
【図面の簡単な説明】
【００４８】
【図１】本発明の一実施の形態に係る車載通信端末装置のカバー部が開放した状態を示す斜視図である。
【図２】本発明の一実施の形態に係る車載通信端末装置のＥＴＣカードを収納した状態を示す斜視図である。
【図３】本発明の一実施の形態に係る車載通信端末装置のカバー部が閉塞した状態を示す斜視図である。
【図４】本発明の一実施の形態に係る車載通信端末装置の回路基板を示すブロック図である。
【図５】本発明の一実施の形態に係る車載通信端末装置のＥＴＣカードを取り外す状態を示す斜視図である。
【図６】従来の車載通信端末装置のＥＴＣカード収納前の状態を示す斜視図である。
【図７】従来の車載通信端末装置のＥＴＣカード収納後の状態を示す斜視図である。
【符号の説明】
【００４９】
１  車載通信端末装置
２  ＥＴＣカード（ＩＣカード）
２ａ  ＩＣチップ
３  上ケース（収納部材）
３ａ  載置面
３ｂ  リブ
３ｃ  凹部
４  下ケース
５  ヒンジ
６  カバー部（閉塞部材）
６ａ  台座部
８  包囲壁
８ａ  ストッパ片
９  パッキン（シール部材）
１０  弾性シート（挟持部材）
１３  回路基板（制御手段）
１６ａ  接触端子（端子部）
２４  ケース部
【図１】
2009075640.tif 000003
【図２】
2009075640.tif 000004
【図３】
2009075640.tif 000005
【図４】
2009075640.tif 000006
【図５】
2009075640.tif 000007
【図６】
2009075640.tif 000008
【図７】
2009075640.tif 000009